(57)【要約】      （修正有）【課題】沈降し得る成分の濃度の、所定の濃度からの過剰な低下を抑制することができる技術を提供する。【解決手段】鉛直方向の高さが局所的に高い第１部分（ＨＰ）、と鉛直方向の高さが局所的に低い第２部分（ＬＰ）とが、交互に繰り返される高低部分を含む液体流路を用いて、液体を供給する。この構成によれば、第１部分（ＨＰ）と第２部分（ＬＰ）とを液体が流れることによって、液体流路内の濃い液体と薄い液体とが混合されるので、沈降し得る成分の濃度の、所定の濃度からの過剰な低下を抑制することができる。【選択図】図２
2010158868.tif 000002
【特許請求の範囲】
【請求項１】
液体を吐出する吐出ヘッドに液体を供給する液体供給システムであって、
沈降し得る成分を含む液体を収容する液体収容部と、
前記液体収容部から前記吐出ヘッドへ前記液体を供給する液体流路と、
を備え、
前記液体流路は、鉛直方向の高さが局所的に高い第１部分と、鉛直方向の高さが局所的に低い第２部分とが、交互に繰り返される高低部分を含む、
液体供給システム。
【請求項２】
請求項１に記載の液体供給システムであって、
前記高低部分は、前記第１部分によって形成される山と前記第２部分によって形成される谷を繰り返す波状の部分を含む、
液体供給システム。
【請求項３】
請求項１または請求項２に記載の液体供給システムであって、
前記高低部分は、複数のループ状の部分が連結された部分を含む、
液体供給システム。
【請求項４】
請求項１ないし請求項３のいずれかに記載の液体供給システムであって、さらに、
前記液体流路は、前記液体を撹拌する撹拌部を含む、
液体供給システム。
【請求項５】
請求項１ないし請求項４のいずれかに記載の液体供給システムであって、さらに、
前記液体流路の中の液体のうちの、前記成分の沈降によって濃度の低下した液体の少なくとも一部を廃棄する、廃棄処理部を含む、
液体供給システム。
【請求項６】
記録装置であって、
沈降し得る成分を含むインクを収容する液体収容部と、
前記インクを記録媒体に吐出する吐出ヘッドと、
前記液体収容部から前記吐出ヘッドへ前記インクを供給する液体流路と、
を備え、
前記液体流路は、鉛直方向の高さが局所的に高い第１部分と、鉛直方向の高さが局所的に低い第２部分とが、交互に繰り返される高低部分を含む、
記録装置。
【請求項７】
液体を供給する方法であって、
沈降し得る成分を含む液体を、鉛直方向の高さが局所的に高い第１部分と、鉛直方向の高さが局所的に低い第２部分とが、交互に繰り返される高低部分を含む液体流路を介して、吐出ヘッドに供給し、
前記液体流路内の前記液体の流れによって、前記第２部分に存在する濃度の高い液体と、前記第１部分に存在する濃度の低い液体とを混合する、
方法。
【発明の詳細な説明】
【技術分野】
【０００１】
本発明は、液体供給システム、記録装置、液体を供給する方法に関するものである。
【背景技術】
【０００２】
インク供給チューブ及びパイプを介してインクタンクからインクをインクジェット記録ヘッドに供給するインク供給機構が知られている。また、活性エネルギーの照射により硬化するインクを貯留するインクカートリッジであって、貯留されているインク内部にその貯留インク攪拌部材を備えるインクカートリッジが知られている。
【０００３】
【特許文献１】特開２００１−８００８８号公報
【特許文献２】特開２００６−３２６９２９号公報
【発明の開示】
【発明が解決しようとする課題】
【０００４】
ところで、インクに含まれる成分としては、溶解する成分（例えば、染料）に限らず、分散する成分（例えば、顔料）も利用され得る。ここで、分散すべき成分が流路の中で沈降する場合がある。例えば、白色顔料として、二酸化チタンが知られている。二酸化チタンを含む白インクを利用する場合には、二酸化チタンが沈降する場合がある。このような沈降によって、記録媒体に吐出される白インクの濃度が、所定の濃度から過剰に低下する場合があった。なお、このような問題は、二酸化チタンを含むインクに限らず、沈降し得る種々の成分を含むインクの供給に共通する問題であった。また、このような問題は、インクに限らず、沈降し得る成分を含む種々の液体の供給に共通する問題であった。
【０００５】
本発明は、上記の課題の少なくとも一部を解決するためになされたものであり、沈降し得る成分の濃度の、所定の濃度からの過剰な低下を抑制することができる技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］液体を吐出する吐出ヘッドに液体を供給する液体供給システムであって、沈降し得る成分を含む液体を収容する液体収容部と、前記液体収容部から前記吐出ヘッドへ前記液体を供給する液体流路と、を備え、前記液体流路は、鉛直方向の高さが局所的に高い第１部分と、鉛直方向の高さが局所的に低い第２部分とが、交互に繰り返される高低部分を含む、液体供給システム。
【０００８】
この構成によれば、第１部分と第２部分とを液体が流れることによって、液体流路内の濃い液体と薄い液体とが混合されるので、沈降し得る成分の濃度の、所定の濃度からの過剰な低下を抑制することができる。
【０００９】
［適用例２］適用例１に記載の液体供給システムであって、前記高低部分は、前記第１部分によって形成される山と前記第２部分によって形成される谷を繰り返す波状の部分を含む、液体供給システム。
【００１０】
この構成によれば、高低部分が波状の部分を含むので、適切に、沈降し得る成分の濃度の、所定の濃度からの過剰な低下を抑制することができる。
【００１１】
［適用例３］適用例１または適用例２に記載の液体供給システムであって、前記高低部分は、複数のループ状の部分が連結された部分を含む、液体供給システム。
【００１２】
この構成によれば、高低部分は、複数のループが連結された部分を含むので、適切に、沈降し得る成分の濃度の、所定の濃度からの過剰な低下を抑制することができる。
【００１３】
［適用例４］適用例１ないし適用例３のいずれかに記載の液体供給システムであって、さらに、前記液体流路は、前記液体を撹拌する撹拌部を含む、液体供給システム。
【００１４】
この構成によれば、撹拌部によって、適切に、沈降し得る成分の濃度の、所定の濃度からの過剰な低下を抑制することができる。
【００１５】
［適用例５］適用例１ないし適用例４のいずれかに記載の液体供給システムであって、さらに、前記液体流路の中の液体のうちの、前記成分の沈降によって濃度の低下した液体の少なくとも一部を廃棄する、廃棄処理部を含む、液体供給システム。
【００１６】
この構成によれば、廃棄処理部が、濃度の低下した液体の少なくとも一部を廃棄するので、濃度の低下した液体が利用されることを抑制できる。
【００１７】
［適用例６］記録装置であって、沈降し得る成分を含むインクを収容する液体収容部と、前記インクを記録媒体に吐出する吐出ヘッドと、前記液体収容部から前記吐出ヘッドへ前記インクを供給する液体流路と、を備え、前記液体流路は、鉛直方向の高さが局所的に高い第１部分と、鉛直方向の高さが局所的に低い第２部分とが、交互に繰り返される高低部分を含む、記録装置。
【００１８】
［適用例７］液体を供給する方法であって、沈降し得る成分を含む液体を、鉛直方向の高さが局所的に高い第１部分と、鉛直方向の高さが局所的に低い第２部分とが、交互に繰り返される高低部分を含む液体流路を介して、吐出ヘッドに供給し、前記液体流路内の前記液体の流れによって、前記第２部分に存在する濃度の高い液体と、前記第１部分に存在する濃度の低い液体とを混合する、方法。
【００１９】
なお、本発明は、種々の態様で実現することが可能であり、例えば、液体供給システム、液体の供給方法、液体供給システムと吐出ヘッドとを有する記録装置、それらのシステムあるいは装置を制御する制御方法または制御装置、制御方法または制御装置の機能を実現するためのコンピュータプログラム、そのコンピュータプログラムを記録した記録媒体、等の態様で実現することができる。
【発明を実施するための最良の形態】
【００２０】
次に、この発明の実施の形態を実施例に基づいて以下の順序で説明する。
Ａ．第１実施例：
Ｂ．第２実施例：
Ｃ．第３実施例：
Ｄ．変形例：
【００２１】
Ａ．第１実施例：
Ａ１．構成：
図１は、本発明の一実施例としての印刷装置を示す説明図である。印刷装置１０００は、副走査送り機構と、主走査送り機構と、印刷ヘッド５とを有している。副走査送り機構は、図示しない紙送りモータと、その紙送りモータによって駆動される紙送りローラ１０と、を含んでいる。副走査送り機構は、紙送りローラ１０を用いて記録媒体Ｐを副走査方向に搬送する。主走査送り機構は、キャリッジモータ２と駆動ベルト１とを含んでいる。キャリッジモータ２の動力によって、駆動ベルト１に接続されたキャリッジ３は、主走査方向ＭＳＤに沿って往復動する。キャリッジ３は、ホルダ４と印刷ヘッド５とを含んでいる。印刷ヘッド５は、インクを吐出する複数のノズルを有している。吐出されたインクによって、記録媒体Ｐにドットが形成（記録）される。印刷装置１０００は、さらに、上述した各要素を制御する制御部４０を備えている。制御部４０は、ＣＰＵとメモリとを有するコンピュータを利用して構成されている。制御部４０は、フレキシブルケーブル３７を介してキャリッジ３と接続されている。また、印刷装置１０００には、廃インク受け部１５が設けられている。廃インク受け部１５は、ノズルのクリーニング等のために吐出されるインクを受ける。廃インク受け部１５には、受けたインクの飛散を抑えるために、スポンジ等の吸収部材が配置されている。
【００２２】
ホルダ４は、印刷ヘッド５の上面に配置されており、印刷ヘッド５にインクを供給するための流路接続部６を有している。図１に示す例では、印刷装置１０００は、８種類のインクを利用可能であり、ホルダ４には、８つの流路接続部６が設けられている。例えば、ブラック、グレー、シアン、マゼンタ、イエロ、淡シアン、淡マゼンタ、ホワイトの８種類のインクを利用してよい。流路接続部６には、インク供給チューブ１１０（以下「インク流路１１０」とも呼ぶ）の一端が接続されている。インク流路１１０の他端は、インク収容部１００に接続されている。インク流路１１０は、可撓材料（例えば、シリコンやゴムやプラスチック）によって、形成されている。なお、インク収容部１００とインク流路１１０との全体は、特許請求の範囲における「液体供給システム」に相当する。また、図１には、インク収容部１００とインク流路１１０との１つのセットのみが示されている。他の流路接続部６にも、それぞれ、インク収容部１００とインク流路１１０とのセットが接続される。
【００２３】
図２は、本実施例のインク流路１１０の概略図である。図中の矢印ＶＤは、鉛直方向の下向き示している。図示するように、本実施例では、インク流路１１０は、局所的に高い第１部分ＨＰと局所的に低い第２部分ＬＰとが交互に繰り返される部分を含んでいる。具体的には、インク流路１１０は、第１部分ＨＰによって形成される山と、第２部分ＬＰによって形成される谷を繰り返す波状の部分を含んでいる。第１部分ＨＰでは、鉛直方向に沿った高さが局所的に最高である。第２部分ＬＰでは、鉛直方向に沿った高さが局所的に最低である。そして、第１部分ＨＰと第２部分ＬＰとが周期的に交互に繰り返されている。本実施例では、インク流路１１０の全体が、特許請求の範囲における「高低部分」相当する。以下、このインク流路１１０を「波型（波状）のインク流路１１０」とも呼ぶ。
【００２４】
本実施例では、インク流路１１０は、ベルト領域ＢＡに沿って、山と谷とを繰り返しながら、インク収容部１００側から印刷ヘッド５側へ延びている。ベルト領域ＢＡは、幅方向が鉛直方向ＶＤとほぼ平行なベルト状の仮想的な領域である。ベルト領域ＢＡ（すなわち、インク流路１１０）は、印刷ヘッド５（図１）の往復動に従って、鉛直方向ＶＤと垂直な任意の方向へ自由に曲がる。
【００２５】
図３（Ａ）−３（Ｄ）は、インク流路１１０中の濃度の変化を示している。これらの図では、インク流路１１０内を、顔料（二酸化チタン）を含む白インクが流れることとしている。これらの図中において、濃いハッチングは、顔料濃度が高い部分を示し、薄いハッチングは、顔料濃度が低い部分を示している。
【００２６】
図３（Ａ）は、白インクを利用した印刷の終了後の、印刷装置１０００（図１）を静置した状態を示している。この状態では、インク流路１１０の内部で、顔料が沈降する。その結果、第１部分ＨＰでは、顔料濃度が低くなり、第２部分ＬＰでは、顔料濃度が高くなる。以下、濃度の低いインクを低濃度インクＬＩと呼び、濃度の高いインクを高濃度インクＨＩと呼ぶ。図３（Ａ）では、第１部分ＨＰが低濃度インクＬＩで満たされ、第２部分ＬＰが高濃度インクＨＩで満たされている。
【００２７】
図３（Ｂ）は、白インクを利用した印刷の開始直後の状態を示している。この印刷開始は、図３（Ａ）の状態で行われる。インク消費によって、インクがインク流路１１０内を流れる。ここで、沈降した顔料の比重は溶媒（例えば、水）の比重よりも大きいので、沈降した顔料は、溶媒と比べて、移動し難い。従って、インクが流れる場合に、第２部分ＬＰに顔料が残存し得る。また、本実施例では、第１部分ＨＰと第２部分ＬＰとが交互に繰り返されている。従って、第１部分ＨＰの低濃度インクＬＩが、第２部分ＬＰに流入する。そして、第２部分ＬＰへ流入した低濃度インクＬＩは、第２部分ＬＰに残存する高濃度インクＨＩ（顔料）と、混合される。
【００２８】
また、インクの流れによって、第２部分ＬＰから一部の高濃度インクＨＩ（顔料）が流出する。流出した高濃度インクＨＩは、第１部分ＨＰに流入する。そして、高濃度インクＨＩ（顔料）は、第１部分ＨＰに残存する低濃度インクＬＩと混合される。
【００２９】
図３（Ｃ）は、図３（Ｂ）の状態から、白インクが更に消費された状態を示している。図示するように、第１部分ＨＰに到達した高濃度インクＨＩ（顔料）は、再び、第２部分ＬＰに向かって流れる。この際、高濃度インクＨＩに含まれる顔料は、溶媒中を、重力によって落下し得る。その結果、顔料は、溶媒中で拡散し得る。これにより、インク流路１１０内での濃度差（顔料の偏り）が、さらに、緩和される。
【００３０】
なお、図３（Ｂ）、３（Ｃ）では図示が省略されているが、高濃度インクＨＩと低濃度インクＬＩとのそれぞれは、インク流路１１０中を流れることによって、周囲のインクと混合される。その結果、高濃度インクＨＩの濃度は徐々に低下し、低濃度インクＬＩの濃度は徐々に上昇する。
【００３１】
図３（Ｄ）は、図３（Ｃ）の状態から、白インクが更に消費された状態を示している。図３（Ｂ）、３（Ｃ）で説明したプロセスを経て、インク流路１１０中の濃度差は、さらに、緩和される。
【００３２】
以上のように、インク流路１１０内のインクの流れによって、第２部分ＬＰに存在する高濃度インクＨＩと、第１部分ＨＰに存在する低濃度インクＬＩとが混合される。これにより、インク流路１１０内での濃度差が低減される。そして、印刷ヘッド５から吐出される白インクにおける顔料濃度の、所定の濃度からの過剰な低下を、抑制できる。なお、所定の濃度は、顔料が均等に分散された状態での濃度である。
【００３３】
なお、本実施例では、図１、図２に示すように、インク流路１１０は、第１部分ＨＰと第２部分ＬＰとを繰り返しながら、ほぼ水平方向に延びている。ここで、インク流路１１０が、第１部分ＨＰと第２部分ＬＰとを繰り返しながら、上昇、あるいは、下降してもよい。例えば、図１に示す印刷装置１０００において、インク収容部１００が、印刷ヘッド５よりも低い位置に配置されてもよい。この場合は、インク収容部１００から印刷ヘッド５（ホルダ４）まで、インク流路１１０が上昇する。この場合も、第１部分ＨＰが、その周辺と比較して高く、第２部分ＬＰが、その周辺と比較して低ければ、図３（Ａ）−３（Ｄ）で説明した効果を奏することができる。この場合、印刷ヘッド５に近い部分の第２部分ＬＰが、インク収容部１００に近い部分の第１部分ＨＰよりも、高い位置に配置されていてもよい。
【００３４】
図４は、インク流路の別の実施例を示す説明図である。このインク流路１１０ａは、上述のインク流路１１０の代わりに利用することができる。図２のインク流路１１０との差違は、このインク流路１１０ａが、波状の部分の代わりに、局所的に高い第１部分ＨＰａから局所的に低い第２部分ＬＰａを経由して別の第１部分ＨＰａへ至る複数のループ状の部分が連結された部分を含んでいる点だけである。本実施例では、インク流路１１０ａは、ベルト領域ＢＡに沿って、ループを描きながら、インク収容部１００側から印刷ヘッド５側へ延びている。また、本実施例では、インク流路１１０ａの全体が、「高低部分」に相当する。以下、このインク流路１１０ａを、「ループ型（ループ状）のインク流路１１０ａ」とも呼ぶ。
【００３５】
このインク流路１１０ａを利用する場合にも、図３（Ａ）に示す実施例と同様に、第２部分ＬＰａが高濃度インクＨＩで満たされ、第１部分ＨＰａが低濃度インクＬＩで満たされ得る。この場合も、図３（Ｂ）−３（Ｄ）に示す実施例と同様に、インク流路１１０ａ内をインクが流れることによって、インクの混合が生じる。そして、第１部分ＨＰａから第２部分ＬＰａへ顔料が流れる際に、顔料の拡散も生じ得る。これらの結果、このインク流路１１０ａを利用する場合にも、インクの流れによって、インク流路１１０ａ内での濃度差が低減される。そして、印刷ヘッド５から吐出される白インクにおける顔料濃度の、所定の濃度からの過剰な低下を、抑制できる。
【００３６】
図５は、インク流路の比較例を示す概略図である。図２のインク流路１１０との差違は、このインク流路１１０Ｓが、ほぼ水平に（鉛直方向と垂直に）延びる直線状の流路である点である。以下、このインク流路１１０Ｓを「直線型のインク流路１１０Ｓ」とも呼ぶ。
【００３７】
図６（Ａ）−６（Ｄ）は、インク流路１１０Ｓを利用した場合の図３（Ａ）−３（Ｄ）と同じ状態を、それぞれ示している。図６（Ａ）に示すように、インク流路１１０Ｓの内部では、顔料が沈降する。比較例では、インク流路１１０Ｓは、ほぼ水平に延びている。従って、インク流路１１０Ｓの全体に亘って、鉛直方向の下側の顔料濃度が、上側と比べて、高くなる。すなわち、インク流路１１０Ｓの上側は低濃度インクＬＩによって満たされ、インク流路１１０Ｓの下側は高濃度インクＨＩによって満たされる。
【００３８】
図６（Ｂ）−６（Ｄ）は、図６（Ａ）の状態で白インクを利用した印刷を開始した場合の、濃度変化を示している。沈降した顔料は溶媒と比べて移動し難い。従って、インク流路１１０Ｓ内をインクが流れる場合には、上側の低濃度インクＬＩは流れやすく、下側の高濃度インクＨＩは流れにくい、と推定される。その結果、インク流路１１０Ｓ内での濃度差が、解消され難い。そして、印刷ヘッド５からは、濃度の低い白インクが吐出され得る。
【００３９】
Ａ２．評価：
図７は、実施例のインク流路１１０（図２）、１１０ａ（図４）と比較例のインク流路１１０Ｓ（図５）との、それぞれの評価結果を示す表である。これらの評価結果は、後述する白色度の変化に基づいている。なお、この表には、後述する別の実施例の評価結果も合わせて示されている。
【００４０】
図８は、白インクを用いた印刷結果の白色度の変化を示すグラフである。図中には、上述の３種類のインク流路１１０、１１０ａ、１１０Ｓを用いて得られる結果が、それぞれ、示されている。白丸は波型のインク流路１１０の結果を示し、黒丸はループ型のインク流路１１０ａの結果を示し、三角は直線型のインク流路１１０Ｓの結果を示している。なお、これらの結果は、図７の表の３〜５行目に相当する。
【００４１】
縦軸は、印刷ヘッド５（図１）から吐出される白インクの白色度の低下率を示している。横軸は、白インクの消費量を示している。このグラフは、図３（Ａ）のように印刷装置１０００（図１）を静置した状態から印刷を開始した場合の、低下率の変化を示している。
【００４２】
白色度は、印刷ヘッド５（図１）から吐出される白インクの顔料濃度と相関がある。顔料濃度が低いほど、白色度は低い。グラフには、所定の白色度からの低下率が示されている。所定の白色度は、顔料が均等に分散された状態での白色度である。
【００４３】
図８のグラフは、以下の条件に従って測定された結果を示している。
（１）印刷装置１０００（図１）として、セイコーエプソン社製のＰＸ−Ｇ９３０を用いる。
（２）記録媒体Ｐとして、コクヨ社製のＯＨＰフィルム（インクジェットプリンタ用）を用いる。
（３）白インクの組成は、以下の通りである。
二酸化チタン（平均粒径200nm）：10質量％
分散剤（スチレン-アクリル酸共重合体）：2質量％
1,2-ヘキサンジオール：5質量％
グリセリン：10質量％
トリエタノールアミン：0.9質量％
BYK-348（ビックケミー・ジャパン株式会社）：0.5質量％
超純水：残分
合計  100質量％
（４）測定方法は以下の通りである。
印刷装置を用いて、透明メディア（ＯＨＰフィルム）に、白インクのＤｕｔｙが１００％のベタ画像を、印刷する。２時間以上の乾燥後、印刷されたベタ画像を、測色器（Spectrolino（GretagMacbeth社製））で測色する。測色時には、印刷物（ＯＨＰフィルム）の下に、黒色用紙を敷いた。黒色用紙は、セイコーエプソン社製の印刷装置（ＰＭ−Ａ７００）を用いて、セイコーエプソン社製の写真用紙（クリスピア）に、黒ベタ画像を印刷して得られたものである。この測色で得られるＬ＊の値を白色度の基準として採用する。その後、印刷装置を使用せずに静置して、白インクの顔料を沈降させる。そして、１０日後に、同様に、白のベタ画像を印刷して測色する。測色で得られるＬ＊の値が、白色度として採用される。ここで、静置後の印刷によるインク消費量の複数の値に関して、測色を行ってＬ＊の低下率を算出した。例えば、Ｌ＊の値の基準が１００であり、得られたＬ＊の値が７０である場合には、低下率は３０％である。なお、インク流路内での顔料の沈降の影響を調べるために、静置後の印刷開始時に、インク収容部１００の中のインクを撹拌した。また、印刷による単位時間当たりのインクの消費量は、０．２７ｍＬ／分である。
【００４４】
さらに、図８のグラフは、以下の条件に従って測定された結果を示している。
（５）インク流路内の流路の直径は、２ｍｍである。
（６）各インク流路１１０、１１０Ｓ、１１０ａの実際の長さは、２３０ｃｍに統一されている。ここで、実際の長さは、図２、図４、図５の長さＴＬ、ＴＬａ、ＴＬＳに相当する。この実際の長さは、インク流路（チューブ）を真っ直ぐに伸ばして測定したチューブの長さと同じである。なお、インク収容部１００と印刷ヘッド５との間の距離は、インク流路の縮れに応じて、異なる。波型のインク流路１１０に関しては、距離ＡＬ（図２）は、おおよそ１３０ｃｍである。ループ型のインク流路１１０ａに関しては、距離ＡＬａ（図４）は、おおよそ６５ｃｍである。直線型のインク流路１１０Ｓに関しては、距離ＡＬＳ（図５）は、実際の長さＴＬＳと同じである（２３０ｃｍ）。この距離は、インク流路のミクロな構造（例えば、山谷パターンや、ループパターン）を省略した場合のチューブに沿った距離に相当する。
（７）波型のインク流路１１０に関して、変動幅（高低差）ＰＡ（図２）は、おおよそ３ｃｍであり、１周期の長さＣＬは、おおよそ５．５ｃｍである。
（８）ループ型のインク流路１１０ａに関して、１つのループの直径ＲＤ（図４）は、おおよそ３ｃｍである。
【００４５】
図８に示すように、インクの消費によって、白色度が低下する。この理由は、インク流路内に生じた濃度の低い白インクが、印刷ヘッド５から吐出されるからである。その後、さらにインクを消費することによって、白色度が回復する。
【００４６】
なお、図８の実施例では、８ｍＬのインクが消費されることによって、インク流路の種類に拘わらずに、白色度が回復している（低下率がほぼゼロ）。また、図８の実施例では、インク流路内の流路の体積が、ほぼ７．２ｍＬである。このように、インク流路内の流路体積とほぼ同じ量のインクを吐出することによって、白色度を回復させることができる。
【００４７】
また、図８に示すように、直線型のインク流路１１０Ｓに関しては、白色度の最大低下率が４３．４％である。一方、波型のインク流路１１０に関しては、白色度の最大低下率は９．６％である。ループ型のインク流路１１０ａに関しては、白色度の最大低下率は７．９％である。このように、インク流路の長さが同じ場合であっても、実施例の構成（図２、図４）を採用することによって、白色度の低下率（すなわち、濃度の低下率）を、大幅に改善することができる。特に、白色度の最大低下率が１０％以下であれば、見た目の違和感も小さい。従って、実施例の構成を採用すれば、見た目の違和感を小さくすることができる。そして、インク収容部１００と印刷ヘッド５との間のインク流路１１０における顔料の沈降の影響を抑えることができる。
【００４８】
なお、印刷ヘッド５には、所定の濃度よりも高い濃度のインクが供給され得る（所定の濃度は、顔料が均等に分散された状態での濃度である）。ただし、本実施例では、所定の濃度は、十分に高い白色度が得られるように、決定されている。従って、所定の濃度よりも高い濃度のインクが吐出された場合であっても、白色度の過剰な上昇は、抑制される。また、実施例では、白色度の低下（すなわち、濃度の低下）が抑制されるので、白色度の上昇（すなわち、濃度の上昇）も抑制される。
【００４９】
図９は、インク収容部１００と印刷ヘッド５との間の距離を統一した場合の、白色度の変化を示すグラフである。図９の結果は、図７の表の１〜３行目に相当する。ここでは、上述の条件（６）の代わりに、以下の条件（６ａ）が採用されている。他の条件は、図８のグラフの条件と同じである。
（６ａ）インク収容部１００（図１）と印刷ヘッド５との間の距離は、１３０ｃｍに統一されている。この距離は、図２、図４、図５の距離ＡＬ、ＡＬａ、ＡＬＳに相当する。波型のインク流路１１０の実際の長さＴＬ（図２）は、２３０ｃｍであり、ループ型のインク流路１１０ａの実際の長さＴＬａ（図４）は、４８０ｃｍである。直線型のインク流路１１０Ｓの実際の長さＴＬＳは、インク収容部１００と印刷ヘッド５との間の距離と同じである（１３０ｃｍ）。
【００５０】
図９の実施例に関しても、図８の実施例と同様に、白インクの消費によって白色度が低下し、白インクの更なる消費によって、白色度が回復する。また、波型の流路長ＴＬ（２３０ｃｍ）は、ループ型の流路長ＴＬａ（４８０ｃｍ）と比べて短い。従って、波型に関しては、ループ型と比べて少ないインク消費量で、白色度が回復する。
【００５１】
また、図９に示すように、直線型のインク流路１１０Ｓに関しては、白色度の最大低下率が２３．２％である。一方、波型のインク流路１１０に関しては、白色度の最大低下率は９．６％である。ループ型のインク流路１１０ａに関しては、白色度の最大低下率は８．７％である。このように、実施例の構成（図２、図４）を採用することによって、流路の実際の長さが直線型のインク流路１１０Ｓと比べて長くなるにもかかわらず、白色度の低下率（すなわち、濃度の低下率）を大幅に改善することができる。特に、白色度の最大低下率が１０％以下であれば、見た目の違和感も小さい。従って、実施例の構成を採用すれば、見た目の違和感を小さくすることができる。
【００５２】
図７の表の６、７行目には、形状の異なる波型のインク流路１１０を用いた結果が示されている。６行目の結果は、図７の表の３行目のインク流路１１０において、変動幅ＰＡ（図２）を３ｃｍから１．５ｃｍに変更した場合を示している。７行目の結果は、その表の３行目のインク流路１１０において、１周期の長さＣＬを５．５ｃｍから１１ｃｍに変更した場合を示している。他の条件は、表の３行目（図８）の条件と同じである。例えば、インク収容部１００と印刷ヘッド５との間の距離ＡＬは１３０ｃｍである。ただし、６行目の結果に関しては、変動幅ＰＡが小さいので、インク流路１１０の実際の長さは、２３０ｃｍよりも短い１９０ｃｍである。７行目の結果に関しては、１周期の長さＣＬが長いので、インク流路１１０の実際の長さは、２３０ｃｍよりも短い１８０ｃｍである。
【００５３】
表の６行目に示すように、変動幅ＰＡを小さくすることによって、白色度の最大低下率が１１．５％に変化している。この場合も、直線型のインク流路１１０Ｓを利用する場合（１行目、４行目）と比べて、白色度の低下率（すなわち、濃度の低下率）が、大幅に改善されている。
【００５４】
表の７行目に示すように、１周期の長さＣＬを長くすることによって、白色度の最大低下率が１３．１％に変化している。この場合も、直線型のインク流路１１０Ｓを利用する場合（１行目、４行目）と比べて、白色度の低下率（すなわち、濃度の低下率）が、大幅に改善されている。
【００５５】
以上のように、波型のインク流路１１０（図２）に関しては、形状の異なる種々の波パターンに関して、白色度の低下率（すなわち、濃度の低下率）を、大幅に改善することができる。なお、ループ型のインク流路１１０ａ（図４）に関しても、波型のインク流路１１０（図２、図３）と同様の作用が得られる。従って、形状の異なる種々のループパターンに関して、白色度の低下率（すなわち、濃度の低下率）を、改善することができる、と推定される。
【００５６】
Ｂ．第２実施例：
図１０は、印刷装置の別の実施例を示す説明図である。図１に示す印刷装置１０００との差違は、インク流路１１０と印刷ヘッド５（流路接続部６）との間にサブタンクＳＴが接続されている点だけである。他の構成は、図１に示す印刷装置１０００と同じである。なお、図１０に示す構成では、インク流路１１０とサブタンクＳＴとの全体が、インク収容部１００から印刷ヘッド５へインクを供給する流路に相当する。また、インク収容部１００とインク流路１１０とサブタンクＳＴとの全体が「液体供給システム」に相当する。
【００５７】
本実施例では、サブタンクＳＴは、ホルダ４に固定されている。サブタンクＳＴは、円筒形のインク流路である。このサブタンクＳＴの容量はおおよそ２ｍＬである。直径は、おおよそ１ｃｍであり、長さは、おおよそ３ｃｍである。このサブタンクＳＴは、主走査方向ＭＳＤに沿って延びるように、配置されている。サブタンクＳＴは、内部に、撹拌球ＢＬを含んでいる。本実施例では、この撹拌球ＢＬは、直径が５ｍｍのセラミックの球である。この撹拌球ＢＬは、サブタンクＳＴの内部を自由に移動できる。印刷時には、印刷ヘッド５（ホルダ４）の往復移動によって、サブタンクＳＴも、主走査方向ＭＳＤに沿って、往復移動する。その結果、撹拌球ＢＬは、サブタンクＳＴ内を主走査方向ＭＳＤに沿って往復移動する。そして、サブタンクＳＴ内において、インクが撹拌される。
【００５８】
図１１は、サブタンクＳＴによる白色度の変化を示すグラフである。このグラフには、図９と同じ波型と直線型とのそれぞれの結果に加えて、「波型＋サブタンク」の結果と、「直線型＋サブタンク」の結果とが示されている。「波型＋サブタンク」は、図９の測定に利用されたインク流路１１０（図２）に、サブタンクＳＴ（図１０）を追加して得られた結果を示している。「直線型＋サブタンク」は、図９の測定に利用されたインク流路１１０Ｓ（図６）に、サブタンクＳＴを追加して得られた結果を示している。他の条件は、図９のグラフの条件と同じである。追加された結果は、図７の表の８、９行目に相当する。
【００５９】
図示するように、波型のインク流路１１０にサブタンクＳＴを追加すると、最大低下率は４．２％に改善される。直線型のインク流路１１０ＳにサブタンクＳＴを追加すると、最大低下率は、６．２％に改善される。このように、インクを撹拌するサブタンクＳＴを利用することによって、白色度の低下率（すなわち、濃度の低下率）を、大幅に改善することができる。特に、白色度の最大低下率が５％以下であれば、見た目の判断では違いが認識され難い。従って、サブタンクＳＴを利用すれば、見た目の違いを適切に抑制できる。
【００６０】
Ｃ．第３実施例：
図１２は、上述の各実施例に適用可能な印刷処理の手順を示すフローチャートである。この処理は、制御部４０（図１、図１０）によって実行される。
【００６１】
本実施例では、制御部４０（図１、図１０）は、印刷指示を受信したことに応じて、図１２の処理を開始する。なお、印刷指示の態様としては、任意の態様を採用可能である。例えば、印刷装置１０００、１０００Ａに接続されたコンピュータが、制御部４０に印刷指示を供給してもよい。また、印刷装置１０００、１０００Ａの図示しない操作パネルに、ユーザによって、印刷指示が入力されてもよい。
【００６２】
ステップＳ１００では、制御部４０（図１、図１０）は、一部の白インクを廃棄する。本実施例では、制御部４０は、廃インク受け部１５と対向する位置に印刷ヘッド５を移動させ、そして、印刷ヘッド５を駆動して所定量の白インクを廃インク受け部１５に吐出する。白インクの廃棄量（所定量）は、顔料濃度（白色度）が一旦低下した後に、顔料濃度（白色度）の低下が目立たなくなるまで顔料濃度（白色度）が回復するような値に、予め実験的に決定される（図８、図９、図１１）。これにより、制御部４０は、インク流路の中の白インクのうちの、顔料の沈降によって濃度の低下した白インクの少なくとも一部を、廃棄することができる。なお、制御部４０は、特許請求の範囲における「廃棄処理部」に相当する。
【００６３】
次のステップＳ１１０では、制御部４０は、印刷を実行する。この段階では、顔料濃度の低い白インクが既に廃棄されている。従って、印刷時に印刷ヘッド５から吐出される白インクにおける顔料濃度の、所定の濃度からの過剰な低下を、抑制できる。そして、印刷結果において、白色度が過剰に低下することを抑制できる。
【００６４】
なお、白インクを廃棄するタイミングとしては、種々のタイミングを採用可能である。例えば、制御部４０（図１、図１０）は、印刷指示に応じて、最後に白インクを利用してから所定の時間が経過しているか否かを判定してよい。そして、制御部４０は、所定の時間が経過している場合には、白インクの廃棄を実行し、白インクの廃棄の後に印刷を実行すればよい。所定の時間が経過していない場合には、制御部４０は、白インクを廃棄せずに、印刷を実行すればよい。このような所定の時間は、インク流路内での顔料の沈降による白色度の低下が過剰とならないように、予め実験的に決定すればよい。
【００６５】
また、制御部４０（図１、図１０）は、印刷装置１０００、１０００Ａの電源投入に応じて、最後に白インクを利用してから所定の時間が経過しているか否かを判定してよい。所定の時間が経過している場合には、制御部４０は、印刷指示を待たずに、白インクを廃棄してもよい。また、制御部４０は、印刷指示に応じて、印刷を実行する前に白インクを廃棄してもよい。所定の時間が経過していない場合には、制御部４０は、白インクを廃棄せずに、印刷を実行してよい。
【００６６】
また、制御部４０（図１、図１０）は、経過時間に限らず、他の条件に従って、白インクを廃棄するタイミングを決定してもよい。また、制御部４０は、ユーザの指示に応じて、白インクを廃棄してもよい。いずれの場合も、白インクを利用する印刷を実行する前に、白インクを廃棄することが好ましい。
【００６７】
なお、図１０に示す実施例では、サブタンクＳＴによって白インクが撹拌されるので、白色度の低下が小さい。従って、このような撹拌部（サブタンクＳＴ）を利用する場合には、白インクの廃棄を省略しても、良好な印刷結果を得ることができる。また、白インクの廃棄を省略すれば、インクを節約することもできる。また、撹拌部を利用しない場合にも、白インクの廃棄を省略してよい。いずれの場合も、沈降し得る成分を含まないインクに関しては、インクの廃棄を省略することが好ましい。
【００６８】
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００６９】
変形例１：
図１３〜図１６は、インク流路の別の実施例を示す説明図である。これらの流路は、上述の各実施例におけるインク流路１１０、１１０ａの代わりに利用可能である。
【００７０】
図１３の実施例では、インク流路１１０ｂの形状は、直線とコーナーとで波を表している。局所的に高い第１部分ＨＰｂによって形成される山と、局所的に低い第２部分ＬＰｂによって形成される谷とが繰り返されている。
【００７１】
図１４の実施例では、インク流路１１０ｃの形状は、矩形波を表している。局所的に高い第１部分ＨＰｃによって形成される山と、局所的に低い第２部分ＬＰｃによって形成される谷とが繰り返されている。
【００７２】
図１５の実施例では、インク流路１１０ｄは、局所的に低い第２部分ＬＰｄから局所的に高い第１部分ＨＰｄを経由して別の第２部分ＬＰｄへ至る複数のループ状の部分が連結された部分を含んでいる。この実施例では、ループの間が、高い位置ではなく低い位置で連結されている。なお、ループの間が、第１部分と第２部分との間の高さで連結されていてもよい。
【００７３】
図１６の実施例では、インク収容部１００が印刷ヘッド５よりも低い位置に配置されている。そして、インク流路１１０ｅの形状は、連結された複数のループを含んでいる。複数のループは、鉛直方向ＶＤに沿って並んで連結している。各ループは、局所的に高い第１部分ＨＰｅと、局所的に低い第２部分ＬＰｅとを含んでいる。本実施例では、このような第１部分ＨＰｅと第２部分ＬＰｅとが、交互に繰り返されている。
【００７４】
以上説明した図１３〜図１６の各実施例においても、局所的に高い第１部分ＨＰｂ、ＨＰｃ、ＨＰｄ、ＨＰｅと局所的に低い第２部分ＬＰｂ、ＬＰｃ、ＬＰｄ、ＬＰｅとが、交互に繰り返されている。従って、これらの実施例においても、図２、図４に示す実施例と同様に、印刷ヘッド５から吐出される白インクにおける顔料濃度の、所定の濃度からの過剰な低下を、抑制できる。
【００７５】
なお、インク流路の構成としては、図２、図４、図１３〜図１６に示す構成に限らず、他の種々の構成を採用可能である。例えば、インク流路の波やループが、鉛直方向ＶＤと交差する斜めの面に沿って、形成されていてもよい（例えば、図１の実施例において、ベルト領域ＢＡの幅方向が、鉛直方向ＶＤと交差する斜め方向であってもよい）。また、インク流路の形状が、立体的な螺旋形状であってもよい。この場合も、インク流路は、複数のループ状の部分が連結された部分を含むということができる。また、ループの代わりに渦巻き状の流路を採用してもよい。また、流路が、形状が異なる複数種類の高低部分を含んでもよい。
【００７６】
また、ループ状の部分の形状としては、種々のループ形状を採用可能である。例えば、真円や楕円といった曲線のループ形状を採用してもよく、矩形や多角形といった折れ線のループ形状を採用してもよい。いずれの場合も、各ループは、局所的に高い第１部分と局所的に低い第２部分との少なくとも一方を含むことが好ましい。
【００７７】
一般には、インク流路の構成としては、鉛直方向の高さが局所的に高い第１部分と、鉛直方向の高さが局所的に低い第２部分とが交互に繰り返される高低部分を含むような種々の構成を採用可能である。「第１部分の鉛直方向の高さが局所的に高い」とは、第１部分とその周辺（上流側と下流側）を含む一部の範囲において、第１部分の鉛直方向の高さが最も高いことを意味している。同様に、「第２部分の鉛直方向の高さが局所的に低い」とは、第２部分とその周辺（上流側と下流側）を含む一部の範囲において、第２部分の鉛直方向の高さが最も低いことを意味している。
【００７８】
なお、局所的に高い第１部分は、流路の途中の一点であってもよい（図２、図１３、図１５、図１６）。また、第１部分は、長さがゼロよりも長い部分であってもよい（図４、図１４）。同様に、局所的に低い第２部分は、流路の途中の一点であってもよい（図２、図４、図１３、図１６）。また、第２部分は、長さがゼロよりも長い部分であってもよい（図１４、図１５）。いずれの場合も、成分（例えば、顔料）の沈降によって、第２部分が、所定の濃度（成分が均等に分散された濃度）よりも高い濃度の液体で満たされるように、液体流路の形状（例えば、第１部分と第２部分とのそれぞれの長さ）を設定することが好ましい。そして、第１部分の周辺に生じ得る低濃度の液体の量が、第２部分の周辺に生じ得る高濃度の液体の量と比べて、過剰に多くならないように、液体流路の形状を設定することが好ましい。
【００７９】
いずれの場合も、インク流路における、第１部分と、その第１部分の隣の第２部分との間の高低差は、インク流路の断面の高さ（例えば、内径）よりも大きいことが好ましい。また、第１部分から、その第１部分の下流側の隣の第２部分へ至る流路の延びる方向と、鉛直方向ＶＤとがなす角度が小さいことが好ましい。こうすれば、溶媒中の落下による顔料の拡散を促進することができる。
【００８０】
変形例２：
上述の各実施例において、インクの組成としては、上述の組成に限らず、種々の組成を採用可能である。例えば、溶媒として水の代わりに有機溶剤を採用してもよい。また、上述の各実施例において、沈降し得る成分としては、二酸化チタンに限らず、種々の成分を採用可能である。例えば、硫酸バリウムや酸化亜鉛を採用してもよい。また、白を表す成分に限らず、他の色を表す成分を採用してもよい。また、色に限らず、種々の質感を発現する成分を採用してもよい。例えば、アルミやアルミ合金等の金属顔料を採用すれば、印刷によって金属光沢を発現させることができる。
【００８１】
また、印刷に利用されるインクに限らず、沈降し得る成分を含む種々の液体の供給に、上述の各実施例を適用することができる。例えば、沈降し得る成分（例えば、金属顔料）を含む樹脂の供給に、上述の各実施例を適用してもよい。なお、複数種類の液体を利用するシステムに関しては、高低部分を含む液体流路を一部の液体のみに適用してもよい。液体の廃棄と撹拌部とのそれぞれに関しては、省略してもよく、一部の液体のみに適用してもよい。
【００８２】
いずれの場合も、比重が溶媒よりも大きい成分は、沈降し得る。従って、このような成分を含む液体の供給に関しては、上述の各実施例のような液体流路を利用することが好ましい。特に、溶媒との比重の差が１以上の場合には、その成分は特に沈降し易い。従って、溶媒との比重の差が１以上の成分を含む液体の供給に関しては、上述の各実施例のような液体流路を利用することの利点が顕著である。例えば、二酸化チタンを顔料として利用する場合には、顔料の比重は、おおよそ３．７〜４．２である。そして、溶媒として水を利用する場合には、溶媒の比重は、おおよそ１である。従って、これらを組み合わせたインクを利用する場合には、比重の差が１以上である。従って、上述の各実施例のような液体流路を利用することが好ましい。
【００８３】
変形例３：
図１０に示す実施例において、サブタンクＳＴと撹拌球ＢＬとのそれぞれのサイズとしては、種々のサイズを採用可能である。また、撹拌球の総数は、１以上の任意の数であってよい。また、液体（例えば、インク）を撹拌する撹拌部の構成としては、撹拌球ＢＬを含むサブタンクＳＴの構成に限らず、種々の構成を採用可能である。例えば、回転する撹拌棒を内蔵する流路（サブタンク）を採用してもよい。
【００８４】
いずれの場合も、液体の吐出のために吐出ヘッドが移動する場合には、撹拌部が、吐出ヘッドと共に移動するように、吐出ヘッドに接続されていることが好ましい。こうすれば、吐出ヘッドの移動によって撹拌部も動くので、容易に液体を撹拌することができる。なお、吐出ヘッドに撹拌部を接続する方法としては、種々の方法を採用可能である。例えば、吐出ヘッドに撹拌部を固定してもよい。また、吐出ヘッドに固定された他の部材に撹拌部を固定してもよい。図１の実施例では、印刷ヘッド５が「吐出ヘッド」に相当し、キャリッジモータ２と駆動ベルト１とホルダ４との全体が「吐出ヘッドを移動させる移動モジュール」に相当する。そして、吐出ヘッドを保持するホルダ４に、撹拌部（サブタンクＳＴ）が固定されている。いずれの場合も、液体流路における撹拌部の位置が、吐出ヘッドに近いことが好ましい。例えば、図１０の実施例のように、撹拌部（サブタンクＳＴ）が、液体流路の高低部分（インク流路１１０）と印刷ヘッド５とを接続することが好ましい。
【００８５】
変形例４：
上述の各実施例において、液体（例えば、インク）を廃棄する廃棄処理部の構成としては、種々の構成を採用可能である。例えば、吐出ヘッド（例えば、図１の印刷ヘッド５）のノズルから液体（例えば、インク）を吸引する吸引ポンプを、廃棄処理部として採用してもよい。いずれの場合も、廃棄処理部は、液体流路の中の液体のうちの、成分の沈降によって濃度の低下した液体の少なくとも一部を廃棄すればよい。
【００８６】
変形例５：
印刷装置の構成としては、図１、図１０の構成に限らず、種々の構成を採用可能である。例えば、印刷ヘッド５が移動せずに、記録媒体Ｐのみが移動する構成を採用してもよい。また、上述の液体流路は、記録装置（例えば、印刷装置）に限らず、液体を消費する種々のシステムに適用可能である。
【００８７】
変形例６：
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図１の制御部４０を、論理回路を有する専用のハードウェア回路によって実現してもよい。
【００８８】
また、本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００８９】
【図１】本発明の一実施例としての印刷装置を示す説明図である。
【図２】本実施例のインク流路１１０の概略図である。
【図３】インク流路１１０中の濃度の変化を示す説明図である。
【図４】インク流路の別の実施例を示す説明図である。
【図５】インク流路の比較例を示す概略図である。
【図６】インク流路１１０Ｓ中の濃度の変化を示す説明図である。
【図７】評価結果を示す表である。
【図８】白色度の変化を示すグラフである。
【図９】白色度の変化を示すグラフである。
【図１０】印刷装置の別の実施例を示す説明図である。
【図１１】サブタンクＳＴによる白色度の変化を示すグラフである。
【図１２】印刷処理の手順を示すフローチャートである。
【図１３】インク流路の別の実施例を示す説明図である。
【図１４】インク流路の別の実施例を示す説明図である。
【図１５】インク流路の別の実施例を示す説明図である。
【図１６】インク流路の別の実施例を示す説明図である。
【符号の説明】
【００９０】
１...駆動ベルト
２...キャリッジモータ
３...キャリッジ
４...ホルダ
５...印刷ヘッド
６...流路接続部
１０...ローラ
１５...廃インク受け部
３７...フレキシブルケーブル
４０...制御部
１００...インク収容部
１１０、１１０ａ〜１１０ｅ、１１０Ｓ...インク流路（インク供給チューブ）
１０００、１０００Ａ...印刷装置
Ｐ...記録媒体
ＢＡ...ベルト領域
ＶＤ...鉛直方向
ＢＬ...撹拌球
ＳＴ...サブタンク
ＭＳＤ...主走査方向
【図１】
2010158868.tif 000003
【図２】
2010158868.tif 000004
【図３】
2010158868.tif 000005
【図４】
2010158868.tif 000006
【図５】
2010158868.tif 000007
【図６】
2010158868.tif 000008
【図７】
2010158868.tif 000009
【図８】
2010158868.tif 000010
【図９】
2010158868.tif 000011
【図１０】
2010158868.tif 000012
【図１１】
2010158868.tif 000013
【図１２】
2010158868.tif 000014
【図１３】
2010158868.tif 000015
【図１４】
2010158868.tif 000016
【図１５】
2010158868.tif 000017
【図１６】
2010158868.tif 000018